(57)【要約】      （修正有）【課題】モダン式イヤホン装置を提供する。【解決手段】本考案のモダン式イヤホン装置１は、フロント部１０と、前記フロント部の両端とそれぞれ連結するテンプル部１１と、前記テンプル部とそれぞれ連結し、内の一つが延伸部品１２１を備えるモダン部１２と、前記延伸部品と連結する固定部品１３とを備える。本考案によって、メガネ装着者は運動時に、同時に音楽を聴くことまたは電話に出ることができる。また、本考案の特殊な構造によって、メガネ装着者がイヤホンを使用するときに、周囲の音声が聞こえて、意外の発生を防いで安全性を向上させる。【選択図】図１
0003207561.tif 000002
【実用新案登録請求の範囲】
【請求項１】
フロント部と、
前記フロント部の両端とそれぞれ連結するテンプル部と、
前記テンプル部とそれぞれ連結し、内の一つが延伸部品を備えるモダン部と、
前記延伸部品と連結する固定部品と、を備えることを特徴とするモダン式イヤホン装置。
【請求項２】
前記固定部品は保持部と円弧部を備え、前記保持部は前記延伸部品に被覆され、且つ前記保持部の前記延伸部品に被覆されていない端部は前記円弧部と連結することを特徴とする、請求項１に記載のモダン式イヤホン装置。
【請求項３】
前記固定部品はプラスチック材料または金属材料により形成される構造であることを特徴とする、請求項１または２に記載のモダン式イヤホン装置。
【請求項４】
前記プラスチック材料は熱可塑性プラスチックまたは熱硬化性プラスチックであることを特徴とする、請求項３に記載のモダン式イヤホン装置。
【請求項５】
前記金属材料は純金属材料または合金材料であることを特徴とする、請求項３に記載のモダン式イヤホン装置。
【請求項６】
前記合金材料はチタン合金、ニッケル合金、アルミニウム合金、コバルト合金、銅合金、ガリウム合金、インジウム合金、鉄合金、鉛合金、マグネシウム合金、またはカリウム合金の合金であることを特徴とする、請求項５に記載のモダン式イヤホン装置。
【請求項７】
前記延伸部品と前記固定部品は一体的に形成されることを特徴とする、請求項１に記載のモダン式イヤホン装置。
【請求項８】
前記延伸部品と前記固定部品は連結により形成される分離型であることを特徴とする、請求項１に記載のモダン式イヤホン装置。
【請求項９】
前記延伸部品と前記モダン部の間は外力により変位を生じさせることを特徴とする、請求項１に記載のモダン式イヤホン装置。
【請求項１０】
前記延伸部品内は鋸歯状の構造を有する金属合金を備えることを特徴とする、請求項１に記載のモダン式イヤホン装置。
【考案の詳細な説明】
【技術分野】
【０００１】
本考案は、モダン部でイヤホンまたはブルートゥース(登録商標)イヤホンと連結するモダン式イヤホン装置に関する。特にメガネ装着者が運動時に、同時にイヤホンまたはブルートゥース(登録商標)イヤホンを使用できるモダン式イヤホン装置に適用する。
【背景技術】
【０００２】
社会の発展、科学技術の進歩と生活品質の向上に伴い、人々が高音質の音楽と通話データ送信に関心を持つため、メガネ装着者は仕事中または活動中に、同時にイヤホンを装着し、電話に出ることまたは音楽を聴くことに対応する習慣がある。
【０００３】
現在は業者がメガネのテンプル部に音楽プレーヤー装置を設置し、使用者が音楽を聴くときに、イヤホンを耳に直接に装着し、メガネにさらに視聴機能を持たせる。
【考案の概要】
【考案が解決しようとする課題】
【０００４】
しかしながら、メガネ装着者が運動時に、後述の問題が生じる。インナーイヤー型イヤホンを使用するときに、抜け落ちやすい問題と外部の音声が聞こえにくい問題がある。テンプル部に音楽プレーヤー装置を設置するメガネを使用するときに、音楽プレーヤー装置の重さによって、メガネは滑落しやすい問題がある。
【０００５】
上述した課題に鑑みて、現在は視聴機能を同時に兼ねたメガネが必要となる。メガネ装着者が運動時に、イヤホンを使用する同時に周囲の音声が聞こえて、運動時に意外の発生を防いで、使用者の安全性を向上させるモダン式イヤホン装置を利用し、先行技術による問題を解決する。
【課題を解決するための手段】
【０００６】
本考案の目的はモダン式イヤホン装置を提供し、メガネに視聴機能を兼ねさせる。また、本考案のモダン式イヤホン装置は使用者が運動時に、イヤホンを使用する同時に周囲の音声が聞こえて、意外の発生を防いで、使用者の安全性を向上させる。
【０００７】
本考案の他の目的はモダン式イヤホン装置を提供し、有線イヤホンまたはブルートゥース(登録商標)イヤホンを使用でき、イヤホン装置とモダン部が通用できない問題を避けて、過大な費用の発生を避ける。また、本考案による構造は使用者の耳にぴったり合わせて、運動によるイヤホンの抜け落ちることはない。さらに、本考案による構造の重さは軽くて、使用者が使用時に重さによるメガネの滑落する問題は生じない。
【０００８】
上述した目的を達成するために、本考案のモダン式イヤホン装置は、フロント部と、前記フロント部の両端とそれぞれ連結するテンプル部と、前記テンプル部とそれぞれ連結し、内の一つが延伸部品を備えるモダン部と、前記延伸部品と連結する固定部品とを備える。
【０００９】
本考案に係るモダン式イヤホン装置において、本考案の好ましい実施形態は、使用者が一つの延伸部品を備えるモダン式イヤホン装置を装着できる。例えば、使用者が運動時に一つの延伸部品を備えるモダン式イヤホン装置を装着できる。本考案の他の好ましい実施形態は、使用者が二つの延伸部品を備えるモダン式イヤホン装置を装着できる。例えば、使用者が安静状態時に二つの延伸部品を備えるモダン式イヤホン装置を装着できる。
【００１０】
本考案に係るモダン式イヤホン装置において、前記固定部品は保持部と円弧部を備え、前記保持部は前記延伸部品に被覆され、且つ前記保持部の前記延伸部品に被覆されていない端部は前記円弧部と連結できる。本考案に係るモダン式イヤホン装置において、前記固定部品の材料は使用者の需要によって任意に変化できる。前記固定部品の材料は金属材料またはプラスチック材料によって構成される。その中、前記プラスチック材料は熱可塑性プラスチックまたは熱硬化性プラスチックである。前記熱可塑性プラスチックはポリエチレンプラスチック、ポリプロピレンプラスチック、ポリ塩化ビニルプラスチック、ポリスチレンプラスチック、セルロースプラスチック、ポリアミドプラスチック、フルオロカーボンプラスチック、ポリエチレンテレフタレートまたはアクリルプラスチックである。前記熱硬化性プラスチックはフェノールホルムアルデヒドプラスチック、ポリエステル、メラミンプラスチック、ポリウレタンプラスチック、エポキシ樹脂、尿素プラスチックまたはシリコーンである。そして、前記金属材料は純金属材料または合金材料である。前記合金材料はチタン合金、ニッケル合金、アルミニウム合金、コバルト合金、銅合金、ガリウム合金、インジウム合金、鉄合金、鉛合金、マグネシウム合金またはカリウム合金である。
【００１１】
本考案に係るモダン式イヤホン装置において、前記延伸部品と前記固定部品の構造は使用者の需要または延伸部品の構造によって任意に変化できる。前記延伸部品と前記固定部品は一体的に形成される。或いは、前記延伸部品と前記固定部品は連結により形成される分離型である。前記延伸部品と前記固定部品が一体的に形成される場合、前記延伸部品と前記モダン部の間は外力により、変位を生じさせることができる。前記延伸部品と前記固定部品の材質は強い強度と高い可塑性の特性を有するため、使用者は前記延伸部品と前記モダン部の間の変位を任意に調整できる。そして、前記変位の程度は使用者の需要によって任意に変化できる。使用者は延伸部品を自分の好適な位置に調整し、電話に出ることまたは音楽を聴くことが便利になる。なお、前記固定部品の回転角度は使用者の需要またはイヤホンのタイプによって任意に変化でき、前記固定部品は３６０°の角度で回転でき、使用者の装着心地を向上させる。
【００１２】
本考案に係るモダン式イヤホン装置において、前記延伸部品内は金属合金を有する。その中、前記金属合金の外形は使用者の需要または延伸部品の構造によって任意に変化でき、前記金属合金の上下両側は鋸歯状の構造を有する。本考案に係るモダン式イヤホン装置において、前記金属合金の種類は使用者の需要または延伸部品の構造によって任意に変化できる。前記金属合金はチタン合金、ニッケル合金、アルミニウム合金、コバルト合金、銅合金、ガリウム合金、インジウム合金、鉄合金、鉛合金、マグネシウム合金またはカリウム合金であり、本考案の実施形態において、前記金属合金はチタン合金である。
【考案の効果】
【００１３】
従って、本考案によるモダン式イヤホン装置の効果は、使用者が運動時にイヤホンを使用する同時に、周囲の音声が聞こえて、意外の発生を避けて使用者の安全性を向上させる。そして、本考案によるモダン式イヤホン装置は固定部品を有し、有線イヤホンまたはブルートゥース(登録商標)イヤホンに対応でき、イヤホン装置とモダン部が通用できない問題を避ける。要約すると、本考案の特徴は使用者の需要によって、モダン式イヤホン装置を設計する。
【図面の簡単な説明】
【００１４】
【図１】図１は、本考案の第１実施形態に係るモダン式イヤホン装置を示す概念図である。
【図２】図２は、本考案の第１実施形態に係るモダン式イヤホン装置の３６０°の回転角度を有する固定部品を示す概念図である。
【図３】図３は、本考案の第１実施形態に係る延伸部品を示す透視図である。
【図４】図４は、本考案の第１実施形態に係るモダン式イヤホン装置の延伸部品とモダン部の間に生じる変位を示す概念図である。
【図５】図５は、本考案の第２実施形態に係るモダン式イヤホン装置を示す概念図である。
【図６】図６は、本考案の第３実施形態に係るモダン式イヤホン装置を示す概念図である。
【考案を実施するための形態】
【００１５】
以下に、特定の具体的実施例を通じて本考案の実施形態を説明し、当技術分野の技術者は本明細書で開示される内容から簡単に本考案のその他の利点と効果を理解できる。また、本考案もその他の異なる具体的実施例を通じて実施或いは運用でき、本考案の要旨を逸脱することなく様々な変更と修正を加えることができる。
【００１６】
＜第１実施形態＞
図1と図３に示すように、図1は本考案の第１実施形態に係るモダン式イヤホン装置を示す概念図であり、図３は本考案の第１実施形態に係る延伸部品を示す透視図である。本考案に係るモダン式イヤホン装置１において、フロント部１０と、前記フロント部１０の両端とそれぞれ連結するテンプル部１１と、前記テンプル部１１とそれぞれ連結し、内の一つが延伸部品１２１を備えるモダン部１２と、前記延伸部品１２１と連結し、保持部１３１と円弧部１３２を備える固定部品１３とを備える。前記保持部１３１と円弧部１３２は熱硬化性プラスチックで構成される。使用者は有線イヤホン１４を円弧部１３２に設置できる。そして、図2と図3を参照し、図２は本考案の第１実施形態に係るモダン式イヤホン装置の３６０°の回転角度を有する固定部品を示す概念図である。前記延伸部品１２１と前記固定部品１３は連結により形成される分離型であり、前記固定部品１３は３６０°の角度で回転できる。さらに、図４を参照し、図４は本考案の第１実施形態に係るモダン式イヤホン装置の延伸部品とモダン部の間に生じる変位を示す概念図である。前記延伸部品１２１と前記モダン部１２は一体的に形成され、前記延伸部品１２１と前記モダン部１２の間は外力により、変位を生じさせるため、使用者の装着心地を向上させ、電話に出ることまたは音楽を聴くことが便利になる。
【００１７】
＜第２実施形態＞
第２実施形態は前述した第１実施形態のモダン式イヤホン装置とほぼ同じである。第１実施形態と第２実施形態の違いは、第１実施形態は一つの延伸部品１２１を有し、第２実施形態は二つの延伸部品１２１を有する。使用者は安静状態時に二つの延伸部品１２１を有するモダン部１２に交換でき、メガネに視聴機能を持たせる。図5を参照し、図５は本考案の第２実施形態に係るモダン式イヤホン装置を示す概念図である。
【００１８】
＜第３実施形態＞
第３実施形態は前述した第１実施形態のモダン式イヤホン装置とほぼ同じである。第１実施形態と第３実施形態の違いは、第１実施形態はフロント部１０と二つのテンプル部１１を有する。第３実施形態は支持部２０、緩衝部品３０と二つのダミーモダン部４０を有する。図６を参照し、図６は本考案の第３実施形態に係るモダン式イヤホン装置を示す概念図である。第３実施形態のモダン式イヤホン装置２は前記支持部２０を耳の上に掛け、且つ前記緩衝部品３０を頭部の後ろに固定させ、フロント部１０とテンプル部１１の構造は必要なくなる。前記緩衝部品３０はゴム材料により形成される構造であり、前記ゴム材料は頭部と摩擦を生じやすくて、前記モダン式イヤホン装置２の滑落することを防ぐ。なお、第３実施形態の延伸部品１２１と前記固定部品１３は一体的に形成され、前記延伸部品１２１と二つの前記ダミーモダン部４０の間は外力により、変位を生じさせる。さらに、第３実施形態の固定部品１３は保持部と円弧部を有し、３６０°の角度で回転できるため、使用者の装着心地を向上させ、電話に出ることまたは音楽を聴くことが便利になる。
【００１９】
以上に述べた実施形態は、あくまでも説明の便宜のために挙げたものであって、本考案で主張する権利範囲は実用新案登録請求の範囲で記載されるものを基準とし、上記実施形態のみに限定されるものではない。
【符号の説明】
【００２０】
１  モダン式イヤホン装置
２  モダン式イヤホン装置
１０  フロント部
１１  テンプル部
１２  モダン部
１２１  延伸部品
１３  固定部品
１３１  保持部
１３２  円弧部
１４  有線イヤホン
１５  ブルートゥース(登録商標)イヤホン
２０  支持部
３０  緩衝部品
４０  ダミーモダン部
【図１】
0003207561.tif 000003
【図２】
0003207561.tif 000004
【図３】
0003207561.tif 000005
【図４】
0003207561.tif 000006
【図５】
0003207561.tif 000007
【図６】
0003207561.tif 000008